(57)【要約】      （修正有）【課題】履き心地の良さと耐久性の高さを両立させたトゥウォーマーを提供する。【解決手段】足の爪先部分を足裏側と甲側からそれぞれ覆う２枚のパイル生地２０、２２と、パイル生地２０、２２のそれぞれ外側を覆う２枚のキルト生地１６、１８によってトゥウォーマー１０の本体部１２を構成する。２枚のキルト生地１６、１８と２枚のパイル生地１６、１８との縫合部分はパイル生地２２とキルト生地１８との間に位置しているため、爪先を挿入する２枚のパイル生地１６、１８の間の空間には縫合部分が露出しない。【選択図】図１
0003175475.tif 000002
【実用新案登録請求の範囲】
【請求項１】
足の爪先部分を足裏側と甲側からそれぞれ覆う２枚のパイル生地と、前記２枚のパイル生地のそれぞれ外側を覆う２枚のキルト生地により構成され、
前記２枚のキルト生地と前記２枚のパイル生地との縫合部分が、前記足裏側もしくは甲側のパイル生地とキルト生地との間に位置する、トゥウォーマー。
【請求項２】
前記パイル生地の足首側の端部が、前記キルト生地の足首側の折り返された端部によって被覆されている、請求項１に記載のトゥウォーマー。
【考案の詳細な説明】
【技術分野】
【０００１】
本考案は、爪先の防寒に適したトゥウォーマーに関する。
【背景技術】
【０００２】
従来、爪先の防寒に関しては、爪先を覆う形状に形成した外布と内布の間に保温材となる中綿を詰め、その後に縫合糸で各部を縫着したものが知られている（特許文献１参照）。
【先行技術文献】
【特許文献】
【０００３】
【特許文献１】実用新案出願公告第１１４８４号
【考案の概要】
【考案が解決しようとする課題】
【０００４】
ところで、この種の防寒具は就寝時に使用されることが多く、素足のまま履かれることがほとんどである。縫合糸で縫合した部分は生地の他の部分と比べて硬くなるため、素足に触れると不快感を覚えることになりがちである。特許文献１に開示された防寒具のように外形を整えた後に縫合を行うと、縫合部分が露出してしまうため、着用時に足に触れて履き心地が悪くなる。また足と縫合部分との摩擦による糸の切断や縫い目のほつれも生じやすい。
【０００５】
本考案は、これらの問題に鑑みてなされたものであり、履き心地の良さと耐久性の高さを両立させたトゥウォーマーを提供することを目的とする。
【課題を解決するための手段】
【０００６】
本考案のトゥウォーマーは、人体の爪先部分を足裏側と甲側からそれぞれ覆う２枚のパイル生地と、前記２枚のパイル生地のそれぞれ外側を覆う２枚のキルト生地により構成され、前記２枚のキルト生地と前記２枚のパイル生地との縫合部分が、前記足裏側もしくは甲側のパイル生地とキルト生地との間に位置することを特徴とする。
【０００７】
このトゥウォーマーは、４枚の生地が重なる縫合部分がパイル生地とキルト生地の間に位置し、２枚のパイル生地の間の足を挿入する空間には露出しないため、縫合部分と足が直接触れることがない。
【０００８】
このトゥウォーマーは生地の重ね方に特徴があり、２枚のキルト生地の上（もしくは下）に２枚のパイル生地を重ね、足首側に位置する直線状の端部を残して縫合する。そして２枚のキルト生地の間で４枚の生地を裏返し、最後に端部処理を施す。
【０００９】
キルト生地の長さをパイル生地より足首側に長めにとっておき、キルト生地の端部を折り返してパイル生地の端部を被覆することで、ほつれやすいパイル生地の端部を保護することができる。また折り返されたキルト生地により端部が補強されるので、型崩れが起きにくく、耐久性も向上する。
【考案の効果】
【００１０】
本考案のトゥウォーマーは装着したときに足が縫合部分に直接触れることがないので、履き心地が良く、耐久性も高い。
【図面の簡単な説明】
【００１１】
【図１】トゥウォーマーの外観を示す図
【図２】トゥウォーマーの構造を示す図
【図３】トゥウォーマーの使用方法を示す図
【考案を実施するための形態】
【００１２】
本考案の実施の形態について、添付された図面を参照して説明する。図１において、トゥウォーマー１０は、本体部１２とゴム紐１４により構成されている。トゥウォーマー１０は、図３に示すように、本体部１２を足の爪先に装着し、ゴム紐１４を伸ばして踵に引っ掛けて使用する。本体部１２はゴム紐１４の張力により踵側に引っ張られた状態となるため、爪先側にずれたり脱げ落ちたりすることはない。
【００１３】
本体部１２は、表側のキルト生地１６、１８と裏側のパイル生地２０、２２で構成された２層構造の防寒具である。キルト生地１６、１８とパイル生地２０、２２は、足首側に位置する直線状の端部を残して縁部同士が縫合されている。パイル生地２０とパイル生地２２の間に形成された空間が爪先を挿入する部分となる。パイル生地２０は足の爪先部分を足裏側から覆い、パイル生地２２は甲側から覆い。これらの外側をキルト生地１６、１８が覆っている。キルト生地１６、１８はそれぞれ絵柄が描かれた面が表側を向き、パイル生地２０、２２はそれぞれ起毛面が裏側を向いている。
【００１４】
パイル生地２０の足首側の端部は、同じくキルト生地１６の足首側の端部の折り返された部分２６によって覆われている。この折り返し部２６の端部はキルト生地１６とパイル生地２０に縫合されている。キルト生地１８の端部についても同様の処理が施されており、パイル生地２２の足首側の端部はキルト生地１８の同じく端部側の折り返し部分２８によって覆われている。
【００１５】
ゴム紐１４はキルト生地１６、１８の境界部分よりキルト生地１６側に少し下がった位置に取り付けられている。一般に人間の足は甲側が凸弧状の形状をなし、足裏側が凹弧状の形状をなしているため、トゥウォーマーを履いたときに本体部の甲側が膨らみ、足裏側の生地の一部が甲側にせり上がる。その結果としてゴム紐の取り付け位置が甲側に移動し、ゴム紐による張力の作用点のバランスが崩れるため、本体部にしわやよれが生じ、履き心地が悪化するとともに歩行にも支障をきたす。そのため、ゴム紐１４の取り付け位置を予め足裏側寄りの位置、すなわちキルト生地１６、１８の境界部分よりキルト生地１６側に少し下がった位置にしておくことにより、トゥウォーマー１０を履いたときに、図３に示すように足の幅が一番広くなるところに取り付け位置がくるようになる。
【００１６】
本体部１２を製作するには、最初に図３に示すように、２枚のキルト生地１６、１８の上に２枚のパイル生地２２、２０をこの順番で重ね、足首側に位置する直線状の端部を残して縁部の縫合部分３０を縫合する。キルト生地１６、１８はそれぞれ絵柄が描かれている面が対面する向きに揃え、パイル生地２２、２０はそれぞれ起毛面が対面する向きに揃える。４枚の生地１６、１８、２０、２２は基本的には同じ大きさ、形に裁断されているが、キルト生地１６、１８はパイル生地２０、２２に比べて足首側に多少長めにとられている。この長めにとられた部分が折り返し部分２６、２８となってパイル生地２０、２２の端部を被覆するのに用いられる。
【００１７】
縁部の縫合を終えたら、２枚のキルト生地１６、１８間で全ての生地１６、１８、２０、２２を裏返し、折り返し部分２６、２８に端部処理を施す。最後にキルト生地１６の折り返し部分２６ にゴム紐１４を取り付け、足の甲側のキルト生地１８にリボン３２を取り付けたらトゥウォーマー１０の完成である。トゥウォーマー１０は一見すると表裏が判りにくいが、リボン３２を取り付けることで表裏を間違えずに着用することができる。
【００１８】
トゥウォーマー１０は、４枚の生地１６、１８、２２、２０をこの順番で重ね、これらを縫合した後に裏返すことで本体部１２を形成するように構成されているため、縫合部分３０はキルト生地１６とパイル生地２０の間に位置することになり、パイル生地２０、２２の間には露出しない。パイル生地２０、２２の間は足の爪先部分を挿入する空間であるため、この空間に縫合部分が露出しないことにより、着用時に縫合部分が足に触れて履き心地が悪くなるようなことがなく、また足と直接触れた場合に生じる糸の切断や縫い目のほつれも起きない。
【符号の説明】
【００１９】
１０        トゥウォーマー
１２        本体部
１４        ゴム紐
１６、１８  キルト生地
２０、２２  パイル生地
２６、２８  折り返し部分
３０        縫合部分
３２        リボン
【図１】
0003175475.tif 000003
【図２】
0003175475.tif 000004
【図３】
0003175475.tif 000005